(57)【要約】【課題】使用者の頸椎伸ばしマッサージを簡単に行うことができ、また長時間の入浴等に際しマッサージ効果やリラックス性を与えることができるマッサージ器を提供する。【解決手段】本体部２に対し首の挿入間隔を有し、使用者の首側面に接当し支持する首支持部３，３を突設したマッサージ器としている。またマッサージ器１は浴槽４の側壁５に設置した状態で、入浴姿勢の使用者の後頭部を支持する凭れ面１６を形成した本体部２と、該本体部２の両側に凭れ面１６の上縁部１７に連なり、なだらかな下り傾斜となる首支持上縁部１９を形成した首支持部３，３を一体的に設けた。【選択図】        図３
2005198680.tif 000002
【特許請求の範囲】
【請求項１】
本体部（２）に対し首の挿入間隔を有し、使用者の首側面に接当し支持する首支持部（
３），（３）を突設したマッサージ器。
【請求項２】
本体部（２）に対し、首支持部（３），（３）を頸椎伸ばしマッサージを行
う首部マッサージ姿勢と非首部マッサージ姿勢とに変更可能に構成した請求項１記載のマ
ッサージ器。
【請求項３】
左右の首支持部（３），（３）の間で使用者の後頭部を支持する凭れ面（１６）を本体
部（２）に形成した請求項１又は２記載のマッサージ器。
【請求項４】
本体部（２）に形成した凭れ面（１６）の両側に、該凭れ面（１６）の上縁部（１７）
に連なる首支持上縁部（１９）を形成した首支持部（３），（３）を一体的に設けた請求
項１又は２又は３記載のマッサージ器。
【請求項５】
浴槽（４）の側壁（５）に設置した状態で、入浴姿勢の使用者の後頭部を支持する凭れ
面（１６）を形成した本体部（２）と、該凭れ面（１６）の上縁部（１７）に連なりなだ
らかな下り傾斜となる首支持上縁部（１９）を形成する首支持部（３），（３）を本体部
（２）の両側に一体的に設けて構成したマッサージ器。
【請求項６】
本体部（２）に形成した凭れ面（１６）の上部に、後頭部を支持する枕部（９）を設け
た請求項１又は２又は３又は４又は５記載のマッサージ器。
【請求項７】
本体部（２）の凭れ面（１６）又は上縁部（１７）に指圧用の突起部２５，１８を突設
した請求項１又は２又は３又は４又は５又は６記載のマッサージ器。
【発明の詳細な説明】
【技術分野】
【０００１】
本発明は後頭部や首を支持しマッサージをしたり、顎を下方から支持し頸椎伸ばしマッ
サージ等を行うマッサージ器に関する。
【背景技術】
【０００２】
従来、身体の局部（肩や背中，首等）を指圧する突起部を備えたマッサージ器を浴槽に
固定して使用することは、特許文献１で示されるように既に公知である。
また、首に嵌めた蛇腹状伸縮筒に空気を供給して伸縮させ、肩と顎の間を押し広げて頸
椎を伸ばし、首筋をストッレッチするネックストレッチ具が特許文献２で示されるように
公知である。
【０００３】
【特許文献１】実開平５−１８５３３号公報（第２ページ，図７）
【特許文献２】特開平１１−３０９１６５号公報（第２ページ，図７）
【発明の開示】
【発明が解決しようとする課題】
【０００４】
上記特許文献１で示されるマッサージ器は、浴槽の上部角面に吸盤によって取り付けら
れ、あたかも浴槽の上縁にマッサージ用枕をセットした状態となし、使用者が突起部に後
頭部や首筋をのせかけて簡単に指圧マッサージすることができる。
しかし、このマッサージ器は、突起部の高さが低くまた突起部の左右間隔も狭いため、
使用者が正面を向いたままで首の側面に対して突起部は接触しない。従って、二重あごを
スリム化したり免疫性の向上に効果的であると言われる、耳の下方並びに顎の下方部位等
へのマッサージ、また首の側面において顎を下方から支持させて行う、頸椎牽引（以下頸
椎伸ばしマッサージと言う）ができない等の欠点がある。
【０００５】
特許文献２で示されるネックストレッチ具は、使用者の首に伸縮筒を嵌めて装着した状
態で、空気ポンプを操作し伸縮筒を伸長し頸椎を伸ばすので、首や他の部分に別の指圧等
のマッサージを繰り返して施したいとき、伸縮筒の着脱が面倒であると共に、伸縮筒その
もので指圧等の別のマッサージを同時に行うことができない欠点がある。
【０００６】
また、近年の入浴傾向として美しさを希求する若い女性やＯＬ並びに女優等の間で、数
時間にわたる長い入浴（いわゆる超長風呂）が流行している。ここで長時間入浴を推奨す
る際にマッサージ器に求められることは、多様なマッサージを楽しみをもって効果的に、
且つ面倒臭くなく簡単であること。またマッサージ器そのもののデザイン乃至機能が、例
えばリラックス性とゴージャス性を有して入浴雰囲気を盛り上げると共に、癒し気分をか
もし出すこと等が理想的とされる。
この点で、上記特許文献１，２で示されるマッサージ器及びネックストレッチ具は、い
ずれも多様なマッサージを行うことができ難く、またデザインも上記のような入浴時雰囲
気を改善し創造し得ない等の課題がある。
【課題を解決するための手段】
【０００７】
上記課題を解決するためにマッサージ器は、第１に、本体部２に対し首の挿入間隔を有
し、使用者の首側面に接当し支持する首支持部３，３を突設したことを特徴としている。
【０００８】
第２に、本体部２に対し、首支持部３，３を頸椎伸ばしマッサージを行う首部マッサー
ジ姿勢と非首部マッサージ姿勢とに変更可能に構成したことを特徴としている。
【０００９】
第３に、左右の首支持部３，３の間で使用者の後頭部を支持する凭れ面１６を本体部２
に形成したことを特徴としている。
【００１０】
第４に、本体部２に形成した凭れ面１６の両側に、該凭れ面１６の上縁部１７に連なる
首支持上縁部１９を形成した首支持部３，３を一体的に設けたことを特徴としている。
【００１１】
第５に、浴槽４の側壁５に設置した状態で、入浴姿勢の使用者の後頭部を支持する凭れ
面１６を形成した本体部２と、該凭れ面１６の上縁部１７に連なりなだらかな下り傾斜と
なる首支持上縁部１９を形成する首支持部３，３を本体部２の両側に一体的に設けて構成
したことを特徴としている。
【００１２】
第６に、本体部２に形成した凭れ面１６の上部に、後頭部を支持する枕部９を設けたこ
とを特徴としている。
【００１３】
第７に、本体部２の凭れ面１６又は上縁部１７に指圧用の突起部２５，１８を突設した
ことを特徴としている。
【発明の効果】
【００１４】
以上のように構成したことにより、本発明のマッサージ器は次のような効果を奏するこ
とができる。
本体部２に突設される首支持部３と首支持部３の挿入間隔内に挿入した首を、首支持部
３に押し当て指圧マッサージをすることができ、また首をそのまま下降することにより頸
椎伸ばしマッサージを簡単に行うことができる。
【００１５】
また本体部２に設けた凭れ面１６或いは枕部９並びに首支持部３によって、入浴等の使
用時に後頭部を安定よく支持することができる。また、凭れ面１６の上縁部１７に連なる
両側になだらかに下り傾斜する首支持上縁部１９を形成したことにより、凭れ面１６と首
支持上縁部１９に頭部をスムースに移動させながら、後頭部或いは首部の指圧を効果的に
行うことができる。
【００１６】
さらに、首支持部３，３を首部マッサージ姿勢と非首部マッサージ姿勢（格納姿勢）と
に切り換え変更可能に構成したマッサージ器１は、首支持部３，３を非首部マッサージ姿
勢にした状態で後頭部を自由な姿勢で凭れ支持することができる。従って、浴槽４等に設
置するマッサージ器１の利便性が向上する共に、長時間の入浴等に際してもマッサージ効
果やリラックス性を味わい、使用者に変化を有した楽しみを与えることができる。
【発明を実施するための最良の形態】
【００１７】
本発明の第１の実施形態に係わるマッサージ器１を図１〜図６を参照し説明する。この
マッサージ器１は図１に示されるように、使用者の後頭部を受け持たせるように支持する
ことが可能な本体部２と、該本体部２の両側に位置し使用者の首の左右の側面に接当可能
に構成される首支持部３とからなり、浴槽４にセットして入浴しながら使用することがで
きる。
【００１８】
即ち、本体部２の両側に首支持部３，３を一体的に設けたマッサージ器１は、その底部
を浴槽４の任意な側壁５の上面に直接的に載置するか、又は側壁５の任意箇所に後述する
適宜な構成からなる取付固定構造６等を介して設け使用することができる。
【００１９】
このマッサージ器１は、左右の首支持部３，３の基部を本体部２の両側に首の挿入間隔
を有し使用切換構造７を介して設けている。これにより首支持部３，３は図１〜図３の実
線で示すように、頭部の凭れ姿勢から図３の点線及び図４の実線、並びに図５の点線で示
す首部マッサージ姿勢へと、切換変更可能な切換首支持部３ａにすることができる。
【００２０】
図５で示すように上記使用切換構造７の一例は、本体部２と首支持部３の前側寄りを縦
軸の連結ピン８によって連結するので、首支持部３を実線で示す凭れ姿勢から連結ピン８
を中心に前側に向けて回動することができ、点線で示す首部マッサージ姿勢へと速やかに
切り換えて変更することができる。そして、首部マッサージを終えたのちは首支持部３は
もとの凭れ姿勢に簡単に切り換えることができる。
【００２１】
従って、首支持部３，３を首部マッサージ姿勢に切り換えると、図３で示すように使用
者の首部を両側から首支持部３，３で挟むように押し当てることができ、この状態で体を
沈めながら首を下降させると、両顎の基部側は首支持部３，３の上面に接触し下方から支
持され、頸椎伸ばしマッサージを行うことができる。即ち、頸椎伸ばしマッサージは顎を
支持した状態で入浴中に体を浮かべたり、首を上下（昇降）作動したり、首を左右に回動
或いは傾動することを任意に繰り返すことによって行われる。
【００２２】
このとき首支持部３，３は図示例のように首部マッサージ姿勢で左右に揺動可能に支持
すると、その先端部を使用者が手で把持した状態で内側に向けて位置決めし力を加減する
ことができるので、使用者の状況と好みに適した頸椎のばし及び首部のマッサージを無理
なく効果的に行うことができる利点がある。
【００２３】
尚、首部マッサージ姿勢に切り換えられた首支持部３を固定したい場合には、図５の点
線で示すように着脱又は回動或いは出没等の何れかの作動が可能な切換ストッパ手段によ
るストッパ９を設け、このストッパ９によって首支持部３の戻し方向の移動を阻止するこ
とができる。
【００２４】
また、使用切換構造７は上記の構造に限定されることなく、例えば本体部２と首支持部
３を弾力性或いは可撓性を有するゴム又はプラスチック材で一体的に形成するか、又は本
体部２と首支持部３の接続部分を上下方向の負荷に対して剛性を有する板バネ材で連結し
た構成等にすることにより行うこともできる。
【００２５】
さらに、別使用の使用切換構造７は、図２，図３（Ｂ）の実線で示すように切換首支持
部３ａを後方に退避させた格納姿勢（凭れ姿勢）から、点線で示すように前側に突出させ
た首部マッサージ姿勢に切換可能にしてもよい。この切換首支持部３ａは本体部２に対し
横軸３ｂを介して回動させ両姿勢への切り換えを行う構造や、切換首支持部３ａが本体部
２に対し前後方向にスライド可能に支持される構造等にすることができる。
【００２６】
この例によれば、首支持部３は本体部２に対し一体的なデザインのまま使用することが
でき、マッサージ器１の全体的な形状を保持するので、美観を損なわないメリットと、凭
れ姿勢から首部マッサージ姿勢への切り換え及び使用を簡単にすることができる等の利点
がある。
【００２７】
また、首支持部３，３は側方に長く延長することも可能であり、この場合は延長部分を
浴槽４の左右の側壁５，５に橋渡し状に乗せかけて載置することができる。このとき本体
部２或いは本体部２の後方に延長させた延長部分を浴槽４の後方に支持すると、マッサー
ジ器１を３点支持できて使用し易くすることができる。
【００２８】
さらに、上記のように構成される実施形態のマッサージ器１は、入浴時等に使用者の後
頭部を受けて支持する枕部９を、本体部２の中央部に一体的に形成するか、又は着脱可能
な構造によって形成することも可能である。
この枕部９は使用者が前記凭れ姿勢或いは首部マッサージ姿勢で入浴するとき、使用者
の後頭部を凭れかけさせることができ、これにより使用者は湯船（浴槽）内で浮かぶよう
なリラックス姿勢（適正姿勢）や半身浴状態の姿勢を補助することができる。また、使用
者が希望する長時間にわたる入浴をしたいとき、身体に無理な姿勢による負担をかけるこ
となく、後頭部が支持された快適な入浴姿勢で使用できリラックス感を提供できる。
【００２９】
このように使用される枕部９は、図示例のようにハート型や若葉模様或いは王冠型等の
左右対象形状の模様をデザインすることにより、その両側縁に凹凸面をなす指圧用の複数
の突起部１０をゴージャスな意匠性を高めながら設けることができる。この際、複数の突
起部１０は下方のものを上方のものより外側方に向け、滑らかな階段状となるように突出
形成することが望ましい。
【００３０】
これにより、使用者が後頭部を枕部９にのせた状態で、首を回すか又は捻るように傾け
ると、後頭部の表面を複数の突起部１０の形状に沿って順次接触させることができる。こ
のとき後頭部を少し強く押し当てるようにすると、各突起部１０による指圧を連続的に付
与せしめることができる。
【００３１】
図４で示すように枕部９は、着脱構造を介して本体部２に着脱可能にし、また別の枕部
や指圧具等のアタッチメント１１類を取り替え可能にすることが望ましく、これによりマ
ッサージ器１の利便性の向上と廉価で製作し易い構造にでき、またこの使用範囲を拡大で
きる等の利点がある。
即ち、上記着脱構造は本体部２に穿設した取付孔１２内に、枕部９から延設した取付脚
１３を挿脱自在に挿入する簡単な構成としている。
【００３２】
図４に点線で図示するアタッチメント１１は頭頂部指圧具であり、この頭頂部指圧具１
１は本体部２の取付孔１２にその取付脚１３を取付支持したとき、該取付脚１３の上部に
突設した突起部１５が頭部の主要なツボである頭頂部又はその近傍に対し、位置決めし仮
支持状態で設置することができる。
【００３３】
これにより、使用者は後頭部を枕部９に当てた状態で両手又は片手を頭上にあげ、その
手で突起部１５を下方に押動し易くでき、突起部１５を介し頭頂部の任意位置を所望の力
で簡単に指圧することができる。これによってもマッサージ器１の多様性を有した利用を
拡大する。尚、枕部９及びアタッチメント１１の着脱構造は、この例に限定されることな
く一般的なネジ止め手段によって可能である。
【００３４】
さらに、図２，図３で示すデザインによるマッサージ器１は平面視において、本体部２
の中央部に前記枕部９に滑らかに連なり後頭部を支持する凭れ面１６を形成している。
この凭れ面１６は本体部２の中央部を後方に向けて凹入傾斜させた滑らかな湾曲面で形
成され、高く広幅に形成した中央部から両側端に向けてなだらかな下り傾斜となる上縁部
１７，１７を形成している。そして、上縁部１７，１７の中途部に前記枕部９の左右の突
起部１０から下り仮想傾斜線で連なる指圧用の突起部１８を複数形成している。
【００３５】
この構成により使用者は、後頭部を枕部９にのせた状態、又は枕部９を外した状態の上
縁部１７に後頭部をのせた状態で、首回しや頭部の傾倒運動をすると、後頭部乃至首部を
上縁部１７上で支持し突起部１８に接触させ指圧することができる。
そして、前記首支持部３はその上縁部１９を本体部２の上縁部１７から滑らかに連なる
下り傾斜状に形成している。これにより使用者は上縁部１７から上縁部１９へと頭部を広
くスムースに移動させることができ、変化を有した所望の姿勢で指圧することができる等
の利点がある。
【００３６】
この首支持部３は図６で示すような断面形状とすることにより、載置安定性と指圧性を
高めている。即ち、首支持部３は略円形状断面の上縁部１９と広幅な底部に至る側面２０
に凹入部２１を形成し、後頭部或いは首部が上縁部１９に対し効率よく接触させるように
していると共に、マッサージ器１に滑らかで優雅なデザイン性を付与している。
【００３７】
以上のように構成されたマッサージ器１は、面一で広幅な平坦部に形成した底部を浴槽
４の側壁５の平坦面上に安定よく載置することができる。この場合本体部２の底部と浴槽
４の上面との間には、必要により従来のものと同様に吸盤等の固定具を設けることができ
る。一方、マッサージ器１の固定は、下向きコ字状の取付具２２を側壁５に嵌め込み、挟
持した状態で固定ネジ２３で固定し該取付具２２と本体部２のネジ孔２４を固定ネジ２５
で締着する等の手段によって行うこともできる。
【００３８】
この取付具２２を用いた取付固定構造６によれば、浴槽４の左右の側壁５の上に点線で
示すような取付板２９を橋渡し状に載せ、この取付板２９に取付具２２を固定することに
よって設置してもよい。この場合にはマッサージ器１を直接的に取り付けることが困難な
形状や大きさの浴槽４に対しても簡単に装着することができる。
【００３９】
尚、取付具２２を設けないマッサージ器１は、図３（ｂ）で示すようにマッサージ器１
を取付板２９に単に載置した状態で使用することができる。この場合の頸椎伸ばしマッサ
ージは、使用者がマッサージ器１を手で把持した状態で固定し使用する。
また本体部２から延設した首支持部３，３を浴槽４の内幅以上に延長したマッサージ器
１は、浴槽４の頭部側の側壁５への載置が困難な形状や大きさの浴槽４に対しても、首支
持部３，３を両側の側壁５，５に載せて支持することができる。このとき本体部２の一部
を頭部側の側壁５に載置すると、マッサージ器１は３点支持される。
【００４０】
このマッサージ器１は本体部２の凭れ面１６は広幅面にしているので、その中央部に対
し非指圧間隔を有して左右対称となる指圧用の突起部２５を設けることができる。この場
合には、入浴姿勢で体を上下に動かし且つ頭部を回転又は傾倒させながら押動することに
より、首及び頭部の所望箇所を自由に指圧することができる。
【００４１】
図示例の突起部２５は入浴時の自然な凭れ姿勢において、後頭部及び首筋に存在する指
圧点（ツボ）や耳並びに顎下に存在する耳介後リンパ節，浅後頭リンパ節等の各種リンパ
節に接触し指圧可能な配置にしている。この突起部２５は座板２６に一体的に形成し、こ
の座板２６を凭れ面１６に貼り付け又は着脱可能に取付固定したが、別の形状及び大きさ
の突起部を公知の装着手段によって自由に装着可能な構造にしてもよい。
【００４２】
以上のように構成したマッサージ器１は、本体部２から突設される首支持部３と首支持
部３の挿入間隔内に首部を挿入した状態で、首を左右に振ったり移動すると首側面を首支
持部３に押接し指圧マッサージをすることができ、また首をそのまま下降すると首支持部
３によって顎部を支持し頸椎伸ばしマッサージを簡単に行うことができる。
【００４３】
また本体部２に設けた凭れ面１６或いは枕部９によって、使用時に後頭部を安定よく支
持することができ、凭れ面１６の上縁部１７に連なる両側に首支持上縁部１９を形成した
ことにより、凭れ面１６から首支持上縁部１９に移動させながら後頭部或いは首部の指圧
を効果的に行うことができるので、入浴時においてもマッサージ器１を有効利用すること
ができる。
【００４４】
さらに、上記のような本体部２の上縁部１７と該本体部２から左右に張り出した首支持
部３の首支持上縁部１９を連ねて構成したマッサージ器１は、浴槽４に設置した状態にお
いて自身が有する、例えば鳥が翼を広げたような姿、或いはマッサージ機能性を有し冠を
模様化する等、優雅で癒し感覚を有したデザインにすることができた。
【００４５】
これにより、近年の入浴傾向となり今後益々増大するとみられる長時間入浴の際に使用
される、入浴グッズの一つである健康器具又はその補助器具として、上記のようなデザイ
ン性を有するマッサージ器１は新たな使用態様並びに入浴雰囲気の改善等を提供する。
【００４６】
即ち、従来の浴槽用枕と異なり優雅で癒し感覚を有する図示例のマッサージ器１は、浴
槽４に設置したときその機能を目立って一目することができ、またリラックス性とゴージ
ャス性のある入浴雰囲気を盛り上げるので、疲れて帰ってきたＯＬや主婦に対してマッサ
ージ効果と共に癒し気分を与えることができる。
【００４７】
さらには、美容のため長時間入浴を求める特に若い女性等に対し、上記デザインを基調
とするマッサージ器１は、特定な場所や雰囲気において巷でよく表現されるところの、女
王様になったような幸せな気分（以下女王様気分と言う）を味わうことを可能にし、入浴
時間を楽しみをもって効果的に過ごすことができる。
【００４８】
尚、上記のような気分は、例えばお年寄りの観光客等が、長時間の乗車を要する旅行（
観光）バスのリクライニングシートに対し、マッサージ器１が装着される場合も同様であ
り、この場合にはお客様に対するバス会社側のおもてなし等のサービス的配慮も、併せて
創出することができる。
【００４９】
次に本発明の第２の実施形態に係わるマッサージ器１について図７，図８を参照し説明
する。尚、第１の実施形態と同じ構成並びに作用等については説明を省略する。
このマッサージ器１は、本体部２の両側に首支持部３，３を一体的に設けることにより
、平面視で略Ｕ字状に形成しその内側面の中央部に凭れ面１６を形成していると共に、凭
れ面１６の外側即ちＵ字状の外側輪郭線３０を利用して、枕として使用する際に指圧具を
兼用することができる構成としている。
【００５０】
このマッサージ器１の首支持部３，３の先端は首を挿入し易いように滑らかな円弧で拡
開する拡開部３１を形成している。また外側輪郭線３０には指圧用の突起部３２を左右対
称に形成している。そして、首支持部３及び外側輪郭線３０の外側で底部を形成する側面
３３は張り出し斜面にしている。これによりマッサージ器１は台形状の底部を拡大せしめ
、張り出した側面３３は入浴時に手で押さえ易くなるので、頸椎伸ばしマッサージの際の
マッサージ器１の固定を容易にすることができる。
そして、前記第１の実施形態のものと同様に、枕部９は必要により穿設された取付孔１
２に装着して使用される。
【００５１】
以上のように構成されたマッサージ器１は机上或いは床上でも使用できるが、浴槽４の
上に載置して頸椎伸ばしマッサージの目的で使用するとき、入浴している使用者は首を首
支持部３，３の間に挿入し凭れ面１６に頭を凭れた状態において、両手又は片手を頭上に
あげその手で側面３３を把持して押さえながら、身体を沈めるようにして首を下降させる
と、両顎のえら部を首支持部３，３上に係止状態にすることができる。
【００５２】
さらに首を下降させる動作を繰り返して使用すると、頸椎の伸ばし運動（頸椎伸ばしマ
ッサージ）を行うことができる。このとき使用者は両腕をあげてマッサージ器１を把持す
るので、上にあげた腕を介して胸部の運動もあわせて行うことができる。
【００５３】
そして、首支持部３を使用しない場合には、マッサージ器１を逆向きにすると単に枕と
して使用することができる。このとき頭部を左右に振るように動かすと首部又は後頭部を
外側輪郭線３０に沿わせて転動させ、外側輪郭線３０並びに突起部３２による指圧を行う
ことができる。従って、長時間の入浴をマッサージ器１を使用して有効に行うことができ
る等の利点がある。
【００５４】
次に、本発明の第３の実施形態について図９を参照し説明する。このマッサージ器１は
浴槽４の側壁５に予め一体的に組み付け構成した例を示す。この場合は側壁５自体が本体
部２を兼用しており、その中央部上方に首挿入間隔を有して左右の首支持部３，３を突出
した構成となっている。これによれば、首支持部３，３は浴槽４に常設されるので随時即
座に使用することができる。
【００５５】
また首支持部３を浴槽４に設けるにあたり、図示例のマッサージ器１は浴槽４の側壁５
の一部を凹入せしめて凭れ面１６を形成すると共に、首支持部３，３を凭れ面１６内に折
り畳み状に収納する格納姿勢と、凭れ面１６内から突出させる首部マッサージ姿勢とに切
り替え可能に構成している。これによれば、常設される首支持部３，３は切換首支持部３
ａとして格納姿勢に切り換え変更することができるから、浴槽４内に切換首支持部３ａを
突出させることなく入浴することができる。
【００５６】
次に、本発明の第４の実施形態について図１０を参照し説明する。このマッサージ器１
は椅子３５の背凭部３６の両側に、横軸の取付軸３７を介して格納姿勢と首部マッサージ
姿勢とに切り換え可能に構成した例を示す。この場合は背凭部３６自体が本体部２を兼用
しており、使用者は椅子３５に座ったままで頸椎伸ばしマッサージを簡単に行うことがで
きる。
【００５７】
尚、乗用車やバス等の椅子の背凭部に対してマッサージ器１を設ける場合には、例えば
前記第１の実施形態で示される本体部２に首支持部３，３を折り畳み自在に設けると共に
、この本体部２に例えば椅子に嵌め込み可能な椅子用取付部を設けて装着する。また首支
持部３，３は例えば浴場等の壁面を本体部２に兼用しその適所に首挿入間隔を有して突設
することもでき、この場合には壁面を利用したマッサージ器を構成することができる。
【００５８】
以上のように使用されるマッサージ器１は、頸椎伸ばしマッサージを行う首部マッサー
ジ姿勢において、首支持部３，３を電動モーター等の駆動力によって上下運動或いは左右
に揺動運動可能にすることができる。この首支持部３，３駆動型のマッサージ器１は在来
のマッサージチェアーに併設されるとき、頸椎伸ばしマッサージを行う新たなマッサージ
装置を創出する。
【００５９】
次に、本発明の第５の実施形態について図１１，図１２を参照し説明する。このマッサ
ージ器１は、丸竹を半割りや板割りをし複数の要素素材別に成形加工したものを、適宜に
組み合わせて本体部２と首支持部３を主として形成し、これらの背後を木材からなる台座
５０に対しビス止め等の固定手段によって取付固定した構成としている。
【００６０】
また必要により首支持部３，３に切換首支持部３ａを設ける場合には、例えば適所に取
付孔５１を形成し、該取付孔５１に対し台座５０側にスライド可能に支持した切換首支持
部３ａを出没自在に設けることにより、切換首支持部３ａを姿勢変更可能なマッサージ器
１として構成することができる。
【００６１】
以上のように竹で構成されるマッサージ器１は、竹素材の入手が容易でその曲げ加工及
び削り加工も簡単であることから、一般の工芸家及び工作趣味家が様々なデザインのもの
を製作し易く、竹素材を利用した新たな特産品の創出を可能にすると共に、温泉場や家庭
での使用を促進できる等の利点がある。
【００６２】
またマッサージ器１は、プラスチック成形や焼き物（セラミック）成形、並びに木や竹
による加工等の何れによっても製作できるが、このときマイナスイオンや遠赤外線等を放
出する物質、例えばトルマリン等の石類や特殊セラミックを、練り込み又は塗布或いは埋
め込み等の手段によって設けることができる。さらに芳香剤を装着したり音声発生機器等
をマッサージ器１の図示する形状を利用し好適且つ簡単に設けることができ、入浴時や仮
眠時に枕機能に併せ付加的な使用効果を高めることができる。
【産業上の利用可能性】
【００６３】
この発明のマッサージ器は、浴槽や机上或いは椅子の背凭部等に着脱可能に設置して使
用することができる。また、浴槽や椅子等に首支持部を一体的に設けて使用することがで
きる。
【図面の簡単な説明】
【００６４】
【図１】本発明の第１の実施形態に係わるマッサージ器を浴場で利用した例を示す斜視図である。
【図２】図１のマッサージ器の構成を示す斜視図である。
【図３】図（Ａ）は図１のマッサージ器の使用状態を示す平面図である。図（Ｂ）は図１のマッサージ器に設ける首支持部の別構造を示す平面図である。
【図４】図１のマッサージ器の使用状態を示す断面図である。
【図５】マッサージ器の本体部と首支持部との切換構造の一例を示す平面図である。
【図６】首支持部の形状を示す断面図である。
【図７】本発明の第２の実施形態に係わるマッサージ器を示す斜視図である。
【図８】図７のＡ−Ａ線断面図である。
【図９】本発明の第３の実施形態に係わるマッサージ器を示す斜視図である。
【図１０】本発明の第４の実施形態に係わるマッサージ器を示す斜視図である。
【図１１】本発明の第５の実施形態に係わるマッサージ器を示す斜視図である。
【図１２】図１１の構造を一部破断をして示す側面図である。
【符号の説明】
【００６５】
１    マッサージ器
２    本体部
３    首支持部
３ａ  切換首支持部
４    浴槽
５    側壁
６    取付固定構造
７    使用切換構造
９    枕部
１０，１８，３２    突起部
１６  凭れ面
１７  上縁部
１９  首支持上縁部
【図１】
2005198680.tif 000003
【図２】
2005198680.tif 000004
【図３】
2005198680.tif 000005
【図４】
2005198680.tif 000006
【図５】
2005198680.tif 000007
【図６】
2005198680.tif 000008
【図７】
2005198680.tif 000009
【図８】
2005198680.tif 000010
【図９】
2005198680.tif 000011
【図１０】
2005198680.tif 000012
【図１１】
2005198680.tif 000013
【図１２】
2005198680.tif 000014